【手続補正書】
【提出日】平成19年12月10日(2007.12.10)
【手続補正１】
【補正対象書類名】明細書
【補正対象項目名】特許請求の範囲
【補正方法】変更
【補正の内容】
【特許請求の範囲】
【請求項１】  複数の音声データとＳＤオーディオ規格で定義された前記音声データの管理データとＳＤオーディオ規格で定義された前記音声データの再生順序が登録されるプレイリストとを記録する記録媒体に対して行う編集処理に関連するプレイリストの選択を行うプレイリスト選択部と、
前記記録媒体に対して行う編集処理を選択する編集処理選択部と、
前記プレイリスト選択部で選択されたプレイリストを前記記録媒体から検索し、検索されたプレイリストに再生順序が登録されている全ての音声データと、その音声データに付随する全ての管理データと、その音声データが登録されている全てのプレイリストとの３種類のデータのうち、前記編集処理選択部で選択された編集処理に関与する種類のデータの書き換えを前記編集処理選択部で選択された編集処理に基づいて行う編集処理部とを備えた編集装置。
【請求項２】  編集処理選択部で管理データに記述された文字情報を他の文字情報に変更する編集処理を選択し、かつプレイリスト選択部でプレイリストを選択したとき、編集処理部は前記プレイリストを記録媒体から検索し、検索されたプレイリストに再生順序が登録されている全ての音声データに付随する全ての管理データに記述された文字情報を前記他の文字情報に書き換えることを特徴とする請求項１記載の編集装置。
【請求項３】  編集処理選択部でデータを削除する編集処理を選択し、かつプレイリスト選択部でプレイリストを選択したとき、編集処理部は前記プレイリストを記録媒体から検索し、検索されたプレイリストに再生順序が登録されている全ての音声データと、その音声データに付随する全ての管理データとを削除し、その音声データが登録されている全てのプレイリストについてその登録を解除することを特徴とする請求項１記載の編集装置。
【請求項４】  複数の音声データとＳＤオーディオ規格で定義された前記音声データの管理データとＳＤオーディオ規格で定義された前記音声データの再生順序を決定するプレイリストとを記録する記録媒体に対して行う編集処理に関連するプレイリストの選択を行うプレイリスト選択部と、
前記記録媒体に対して行う編集処理を選択する編集処理選択部と、
前記編集処理選択部で第１のプレイリストの内容を第２のプレイリストに追加する編集処理を選択し、かつ前記プレイリスト選択部で前記第１のプレイリストおよび第２のプレイリストを選択したとき、前記第１のプレイリストおよび第２のプレイリストを前記記録媒体から検索し、前記第２のプレイリストに登録されている音声データの再生順序のあとに、前記第１のプレイリストに登録されている音声データの再生順序を追加登録する編集処理部とを備えた編集装置。
【請求項５】  編集処理対象とするプレイリストを選択するプレイリスト選択部と、
編集処理を選択する編集処理選択部と、
前記プレイリスト選択部で選択されたプレイリストを検索し、検索されたプレイリストに再生順序が登録されているコンテンツデータと、前記コンテンツデータに付随する管理データと、前記コンテンツデータが登録されているプレイリストとの３種類のデータのうち、前記編集処理選択部で選択された編集処理に関与する種類のデータの書き換えを前記編集処理に基づいて行う編集処理部とを備えた編集装置。
【請求項６】  前記編集処理選択部で管理データに記述された文字情報を他の文字情報に変更する編集処理を選択し、かつ前記プレイリスト選択部でプレイリストを選択したとき、前記編集処理部は、前記選択されたプレイリストに再生順序が登録されている音声データに付随する管理データに記述された文字情報を前記他の文字情報に書き換えることを特徴とする請求項５記載の編集装置。
【請求項７】  前記編集処理選択部でデータを削除する編集処理を選択し、かつプレイリスト選択部でプレイリストを選択したとき、前記編集処理部は、前記プレイリストに再生順序が登録されている音声データと、前記音声データに付随する全ての管理データとを削除し、前記音声データが登録されているプレイリストについて前記登録を解除することを特徴とする請求項５記載の編集装置。
【請求項８】  編集処理対象とするプレイリストを選択するプレイリスト選択部と、
編集処理を選択する編集処理選択部と、
前記編集処理選択部で第1のプレイリストの内容を第２のプレイリストに追加する編集処理を選択し、かつ前記プレイリスト選択部で前記第1のプレイリストおよび第２のプレイリストを選択したとき、前記第２のプレイリストに登録された音声データの再生順序のあとに、前記第1のプレイリストに登録された音声データの再生順序を追加登録する編集処理部とを備えた編集装置。
【請求項９】  前記編集処理部で行われるデータの書き換えは、前記編集処理選択部で選択された編集処理に関与する種類のデータであって、前記プレイリスト選択部で選択されたプレイリスト内の全データに対して行われることを特徴とする請求項１ないし８のいずれか１項記載の編集装置。
【手続補正２】
【補正対象書類名】明細書
【補正対象項目名】００２１
【補正方法】変更
【補正の内容】
【００２１】
本発明の請求項４記載の編集装置は、複数の音声データとＳＤオーディオ規格で定義された音声データの管理データとＳＤオーディオ規格で定義された音声データの再生順序を決定するプレイリストとを記録する記録媒体に対して行う編集処理に関連するプレイリストの選択を行うプレイリスト選択部と、記録媒体に対して行う編集処理を選択する編集処理選択部と、編集処理選択部で第１のプレイリストの内容を第２のプレイリストに追加する編集処理を選択し、かつプレイリスト選択部で第１のプレイリストおよび第２のプレイリストを選択したとき、第１のプレイリストおよび第２のプレイリストを記録媒体から検索し、第２のプレイリストに登録されている音声データの再生順序のあとに、第１のプレイリストに登録されている音声データの再生順序を追加登録する編集処理部とを備えたものである。
本発明の請求項５記載の編集装置は、編集処理対象とするプレイリストを選択するプレイリスト選択部と、編集処理を選択する編集処理選択部と、プレイリスト選択部で選択されたプレイリストを検索し、検索されたプレイリストに再生順序が登録されているコンテンツデータと、コンテンツデータに付随する管理データと、コンテンツデータが登録されているプレイリストとの３種類のデータのうち、編集処理選択部で選択された編集処理に関与する種類のデータの書き換えを編集処理に基づいて行う編集処理部とを備えたものである。
本発明の請求項６記載の編集装置は、請求項５記載の編集装置において、編集処理選択部で管理データに記述された文字情報を他の文字情報に変更する編集処理を選択し、かつプレイリスト選択部でプレイリストを選択したとき、編集処理部は、選択されたプレイリストに再生順序が登録されている音声データに付随する管理データに記述された文字情報を他の文字情報に書き換えることを特徴とする。
本発明の請求項７記載の編集装置は、請求項５記載の編集装置において、編集処理選択部でデータを削除する編集処理を選択し、かつプレイリスト選択部でプレイリストを選択したとき、編集処理部は、プレイリストに再生順序が登録されている音声データと、音声データに付随する全ての管理データとを削除し、音声データが登録されているプレイリストについて登録を解除することを特徴とする。
本発明の請求項８記載の編集装置は、編集処理対象とするプレイリストを選択するプレイリスト選択部と、編集処理を選択する編集処理選択部と、編集処理選択部で第1のプレイリストの内容を第２のプレイリストに追加する編集処理を選択し、かつプレイリスト選択部で第1のプレイリストおよび第２のプレイリストを選択したとき、第２のプレイリストに登録された音声データの再生順序のあとに、第1のプレイリストに登録された音声データの再生順序を追加登録する編集処理部とを備えたものである。
本発明の請求項９記載の編集装置は、請求項１ないし８のいずれか１項記載の編集装置において、編集処理部で行われるデータの書き換えは、編集処理選択部で選択された編集処理に関与する種類のデータであって、プレイリスト選択部で選択されたプレイリスト内の全データに対して行われることを特徴とする。